(57)【特許請求の範囲】
【請求項１】
端末装置と通信する基地局装置であって、
第1の情報と第２の情報を送信する送信部を備え、
前記第１の情報は、下りリンクサブフレームのサブセットであるMBSFN(Multicast/ Broadcast over Single Frequency Network)サブフレームを指示し、
前記第２の情報は、下りリンク物理チャネルの送信のためのサブフレームを指示し、前記下りリンク物理チャネルは上りリンクデータに対するHARQ (Hybrid Automatic Repeat reQuest)に関連する制御情報を伝送するために用いられ、前記下りリンク物理チャネルはセル固有参照信号とは異なる参照信号に関連し、
前記送信部は前記第２の情報によって指示されたサブフレームで前記下りリンク物理チャネルを送信し、
前記第２の情報は前記第1の情報によって示されたMBSFNサブフレームの各々が、前記下りリンク物理チャネルの送信のためのサブフレームであるかどうかを示すことを特徴とする基地局装置。
【請求項２】
基地局装置と通信する端末装置であって、
第1の情報と第２の情報を受信する受信部を備え、
前記第１の情報は、下りリンクサブフレームのサブセットであるMBSFN(Multicast/ Broadcast over Single Frequency Network)サブフレームを設定するために用いられ、
前記第２の情報は、下りリンク物理チャネルの送信のためのサブフレームを設定し、前記下りリンク物理チャネルは上りリンクデータに対するHARQ (Hybrid Automatic Repeat reQuest)に関連する制御情報を伝送するために用いられ、前記下りリンク物理チャネルはセル固有参照信号とは異なる参照信号に関連し、
前記受信部は前記第２の情報によって設定されたサブフレームで前記下りリンク物理チャネルの受信を試み、
前記第２の情報は前記第1の情報によって示されたMBSFNサブフレームの各々が、前記下りリンク物理チャネルの受信を試みるためのサブフレームであるかどうかを示すことを特徴とする端末装置。
【請求項３】
端末装置と通信する基地局装置に用いられる無線通信方法であって、
第1の情報と第２の情報を送信し、
前記第１の情報は、下りリンクサブフレームのサブセットであるMBSFN(Multicast/ Broadcast over Single Frequency Network)サブフレームを指示し、
前記第２の情報は、下りリンク物理チャネルの送信のためのサブフレームを指示し、前記下りリンク物理チャネルは上りリンクデータに対するHARQ (Hybrid Automatic Repeat reQuest)に関連する制御情報を伝送するために用いられ、前記下りリンク物理チャネルはセル固有参照信号とは異なる参照信号に関連し、
前記第２の情報によって指示されたサブフレームで前記下りリンク物理チャネルを送信し、
前記第２の情報は前記第1の情報によって示されたMBSFNサブフレームの各々が、前記下りリンク物理チャネルの送信のためのサブフレームであるかどうかを示すことを特徴とする無線通信方法。
【請求項４】
基地局装置と通信する端末装置に用いられる無線通信方法であって、
第1の情報と第２の情報を受信し、
前記第１の情報は、下りリンクサブフレームのサブセットであるMBSFN(Multicast/ Broadcast over Single Frequency Network)サブフレームを設定するために用いられ、
前記第２の情報は、下りリンク物理チャネルの送信のためのサブフレームを設定し、前記下りリンク物理チャネルは上りリンクデータに対するHARQ (Hybrid Automatic Repeat reQuest)に関連する制御情報を伝送するために用いられ、前記下りリンク物理チャネルはセル固有参照信号とは異なる参照信号に関連し、
前記第２の情報によって設定されたサブフレームで前記下りリンク物理チャネルの受信を試み、
前記第２の情報は前記第1の情報によって示されたMBSFNサブフレームの各々が、前記下りリンク物理チャネルの受信を試みるためのサブフレームであるかどうかを示すことを特徴とする無線通信方法。
【発明の詳細な説明】
【技術分野】
【０００１】
本発明は、移動局装置、基地局装置、無線通信システム、無線通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。３ＧＰＰにおいて、ＬＴＥを発展させ、新たな技術を適用するＬＴＥ−Ａ（LTE-Advanced）が検討されている。
【０００３】
ＬＴＥ−ＡではＬＴＥと同一のチャネル構造を少なくともサポートすることが検討されている。チャネルとは、信号の送信に用いられる媒体を意味する。物理層で用いられるチャネルは物理チャネルと呼称する。媒体アクセス制御（Medium Access Control: MAC）層で用いられるチャネルは論理チャネルと呼称する。物理チャネルの種類としては、下りリンクデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）等がある。移動局装置、または基地局装置は、制御情報、データなどから生成した信号を各物理チャネルに配置して、送信する。
【０００４】
ＬＴＥでは、ＭＢＭＳ（Multimedia Broadcast and Multicast Service）が仕様化されている。物理マルチキャストチャネル（Physical Multicast Channel: PMCH）は、ＭＢＭＳのために用いられる物理チャネルである。ＰＭＣＨとＰＤＳＣＨは時間多重される。ＬＴＥでは、単一のサブフレームにおいて、ＰＭＣＨとＰＤＳＣＨは同時に送信されない。
【０００５】
移動局装置において、データ信号の受信処理に関して、データ信号に用いられる変調方式、符号化率、空間多重数、送信電力調整値、リソースの割り当てなどを示す制御情報を取得する必要がある。ＬＴＥ−Ａでは、データ信号に関する制御情報を送信する新しい制御チャネル（Enhanced-Physical Downlink Control Channel: E-PDCCH）を導入することが検討されている（非特許文献１）。例えば、全体の制御チャネルのキャパシティを改善することが検討されている。例えば、新しい制御チャネルに対して周波数領域での干渉コーディネーションをサポートすることが検討されている。サブフレーム内において、Ｅ−ＰＤＣＣＨはＰＤＳＣＨと時間多重および／または周波数多重される。
【０００６】
ＬＴＥ−Ａでは、上りリンクデータ信号に対するＡＣＫ／ＮＡＣＫを下りリンクで送信するチャネル（Physical Hybrid Automatic Repeat reQuest Indicator Channel: PHICH）に対して、Ｅ−ＰＤＣＣＨと同じ原理を用いた新しいチャネル（Enhanced-Physical Hybrid Automatic Repeat reQuest Indicator Channel: E-PHICH）を導入することが検討されている（非特許文献２）。
【先行技術文献】
【非特許文献】
【０００７】
【非特許文献１】3GPP TSG RAN1 #66bis、Zhuhai、China、10-14、October、2011、R1-113589“Way Forward on downlink control channel enhancements by UE-specific RS”
【非特許文献２】3GPP TSG RAN1 #67、San Francisco、USA、14-18、November、2011、R1-113682“Views on enhanced PHICH”
【発明の概要】
【発明が解決しようとする課題】
【０００８】
しかしながら、あるサブフレームにおいて、Ｅ−ＰＨＩＣＨとＰＭＣＨは同時に送信することはできない。また、ＭＢＭＳに興味のない移動局装置は、いずれのサブフレームがＰＭＣＨの送信に用いられているかを知らない。ゆえに、ＰＭＣＨの送信に用いられており、Ｅ−ＰＨＩＣＨの送信に用いられていないサブフレームにおいて、移動局装置がＥ−ＰＨＩＣＨの受信を試み、誤った情報を復号してしまうという問題があった。
【０００９】
本発明は上記の点に鑑みてなされたものであり、その目的は、Ｅ−ＰＨＩＣＨを用いて正しく通信することができる移動局装置、基地局装置、無線通信システム、無線通信方法および集積回路を提供することを目的とする。
【課題を解決するための手段】
【００１０】
（１）上記の目的を達成するために、本発明は、以下のような手段を講じた。すなわち、本発明の移動局装置は、ＭＢＳＦＮ (Multicast/Broadcast over Single Frequency Network)サブフレームおよびｎｏｎ−ＭＢＳＦＮサブフレームを用いて基地局装置と通信する移動局装置であって、物理上りリンク共用チャネルを用いてトランスポートブロックを前記基地局装置に送信し、前記トランスポートブロックの送信に対するＨＡＲＱフィードバックを拡張された物理ＨＡＲＱインディケータチャネルを用いて受信する時がＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００１１】
（２）また、本発明の移動局装置は、ＭＢＳＦＮ (Multicast/Broadcast over Single Frequency Network)サブフレームおよびｎｏｎ−ＭＢＳＦＮサブフレームを用いて基地局装置と通信する移動局装置であって、物理上りリンク共用チャネルを用いてトランスポートブロックを前記基地局装置に送信し、前記トランスポートブロックの送信に対するＨＡＲＱフィードバックを拡張された物理ＨＡＲＱインディケータチャネルを用いて受信する時が特定のＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００１２】
（３）また、本発明は、上記の移動局装置において、前記ＭＢＳＦＮサブフレームのうち、前記拡張された物理ＨＡＲＱインディケータチャネルを用いた前記ＨＡＲＱフィードバックの送信のために予約されるサブフレームを指示する情報を受信する。また、前記特定のＭＢＳＦＮサブフレームは、前記情報によって指示されるサブフレームである。
【００１３】
（４）また、本発明は、上記の移動局装置において、前記特定のＭＢＳＦＮサブフレームは、前記移動局装置が移動局装置固有参照信号を検出しなかったＭＢＳＦＮサブフレームである。
【００１４】
（５）また、本発明は、上記の移動局装置において、前記ＭＢＳＦＮサブフレームとして予約されるサブフレームを指示する情報を受信する。
【００１５】
（６）また、本発明の移動局装置は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置であって、前記拡張された物理ＨＡＲＱインディケータチャネルを用いた前記ＨＡＲＱフィードバックの送信のために予約されるサブフレームを指示する情報を受信し、物理上りリンク共用チャネルを用いて前記トランスポートブロックを前記基地局装置に送信し、前記トランスポートブロックの送信に対する前記ＨＡＲＱフィードバックを前記拡張された物理ＨＡＲＱインディケータチャネルを用いて受信する時が前記情報によって指示されたサブフレームを除くサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００１６】
（７）また、本発明の移動局装置は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置であって、物理上りリンク共用チャネルを用いて前記トランスポートブロックを前記基地局装置に送信し、前記拡張された物理ＨＡＲＱインディケータチャネルに対応する識別子を用いて前記拡張された物理ＨＡＲＱインディケータチャネルの検出を試み、前記トランスポートブロックの送信に対する前記ＨＡＲＱフィードバックの送信に用いられる前記拡張された物理ＨＡＲＱインディケータチャネルを検出した場合、前記トランスポートブロックが対応するＨＡＲＱプロセスが管理する状態変数に、前記拡張された物理ＨＡＲＱインディケータチャネルを用いて受信した前記ＨＡＲＱフィードバックが指示するＡＣＫ（acknowledgement）またはＮＡＣＫ（negative-acknowledgement）をセットし、前記トランスポートブロックの送信に対する前記ＨＡＲＱフィードバックの送信に用いられる前記拡張された物理ＨＡＲＱインディケータチャネルを検出しなかった場合、前記トランスポートブロックが対応するＨＡＲＱプロセスが管理する状態変数に、ＡＣＫ（acknowledgement）をセットする。
【００１７】
（８）また、本発明は、上記の移動局装置において、トランスポートブロックの送信に対するＨＡＲＱフィードバックを、拡張された物理ＨＡＲＱインディケータチャネルを用いて受信しなければならないかどうかを指示する情報を受信する。
【００１８】
（９）また、本発明は、上記の移動局装置において、前記物理上りリンク制御チャネルのスケジューリングに用いられる制御情報を物理下りリンク制御チャネルを用いて前記基地局装置から受信し、前記ＨＡＲＱプロセスにおいて、前記制御情報に基づいて初期送信または適応再送を行なう場合には、前記ＡＣＫまたは前記ＮＡＣＫをセットした前記状態変数にＮＡＣＫをセットする。
【００１９】
（１０）また、本発明は、上記の移動局装置において、前記トランスポートブロックを送信したサブフレームから４つ後のサブフレームにおいて、前記トランスポートブロックの送信に対する前記ＨＡＲＱフィードバックを前記拡張された物理ＨＡＲＱインディケータチャネルを用いて受信する。
【００２０】
（１１）また、本発明の無線通信方法は、ＭＢＳＦＮ (Multicast/Broadcast over Single Frequency Network)サブフレームおよびｎｏｎ−ＭＢＳＦＮサブフレームを用いて基地局装置と通信する移動局装置に用いられる無線通信方法であって、物理上りリンク共用チャネルを用いてトランスポートブロックを前記基地局装置に送信し、前記トランスポートブロックの送信に対するＨＡＲＱフィードバックを拡張された物理ＨＡＲＱインディケータチャネルを用いて受信する時がＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００２１】
（１２）また、本発明の無線通信方法は、ＭＢＳＦＮ (Multicast/Broadcast over Single Frequency Network)サブフレームおよびｎｏｎ−ＭＢＳＦＮサブフレームを用いて基地局装置と通信する移動局装置に用いられる無線通信方法であって、物理上りリンク共用チャネルを用いてトランスポートブロックを前記基地局装置に送信し、前記トランスポートブロックの送信に対するＨＡＲＱフィードバックを拡張された物理ＨＡＲＱインディケータチャネルを用いて受信する時が特定のＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００２２】
（１３）また、本発明の無線通信方法は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置に用いられる無線通信方法であって、前記拡張された物理ＨＡＲＱインディケータチャネルを用いた前記ＨＡＲＱフィードバックの送信のために予約されるサブフレームを指示する情報を受信し、物理上りリンク共用チャネルを用いて前記トランスポートブロックを前記基地局装置に送信し、前記トランスポートブロックの送信に対する前記ＨＡＲＱフィードバックを前記拡張された物理ＨＡＲＱインディケータチャネルを用いて受信する時が前記情報によって指示されたサブフレームを除くサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする。
【００２３】
（１４）また、本発明の無線通信方法は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置に用いられる無線通信方法であって、物理上りリンク共用チャネルを用いて前記トランスポートブロックを前記基地局装置に送信し、前記拡張された物理ＨＡＲＱインディケータチャネルに対応する識別子を用いて前記拡張された物理ＨＡＲＱインディケータチャネルの検出を試み、前記トランスポートブロックの送信に対する前記ＨＡＲＱフィードバックの送信に用いられる前記拡張された物理ＨＡＲＱインディケータチャネルを検出した場合、前記トランスポートブロックが対応するＨＡＲＱプロセスが管理する状態変数に、前記拡張された物理ＨＡＲＱインディケータチャネルを用いて受信した前記ＨＡＲＱフィードバックが指示するＡＣＫ（acknowledgement）またはＮＡＣＫ（negative-acknowledgement）をセットし、前記トランスポートブロックの送信に対する前記ＨＡＲＱフィードバックの送信に用いられる前記拡張された物理ＨＡＲＱインディケータチャネルを検出しなかった場合、前記トランスポートブロックが対応するＨＡＲＱプロセスが管理する状態変数に、ＡＣＫ（acknowledgement）をセットする。
【００２４】
（１５）また、本発明の集積回路は、ＭＢＳＦＮ (Multicast/Broadcast over Single Frequency Network)サブフレームおよびｎｏｎ−ＭＢＳＦＮサブフレームを用いて基地局装置と通信する移動局装置に実装されることにより、前記移動局装置に複数の機能を発揮させる集積回路であって、物理上りリンク共用チャネルを用いてトランスポートブロックを前記基地局装置に送信する機能と、前記トランスポートブロックの送信に対するＨＡＲＱフィードバックを拡張された物理ＨＡＲＱインディケータチャネルを用いて受信する時がＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする機能と、を前記移動局装置に発揮させる。
【００２５】
（１６）また、本発明の集積回路は、ＭＢＳＦＮ (Multicast/Broadcast over Single Frequency Network)サブフレームおよびｎｏｎ−ＭＢＳＦＮサブフレームを用いて基地局装置と通信する移動局装置に実装されることにより、前記移動局装置に複数の機能を発揮させる集積回路であって、物理上りリンク共用チャネルを用いてトランスポートブロックを前記基地局装置に送信する機能と、前記トランスポートブロックの送信に対するＨＡＲＱフィードバックを拡張された物理ＨＡＲＱインディケータチャネルを用いて受信する時が特定のＭＢＳＦＮサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする機能と、を前記移動局装置に発揮させる。
【００２６】
（１７）また、本発明の集積回路は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置に実装されることにより、前記移動局装置に複数の機能を発揮させる集積回路であって、前記拡張された物理ＨＡＲＱインディケータチャネルを用いた前記ＨＡＲＱフィードバックの送信のために予約されるサブフレームを指示する情報を受信する機能と、物理上りリンク共用チャネルを用いて前記トランスポートブロックを前記基地局装置に送信する機能と、前記トランスポートブロックの送信に対する前記ＨＡＲＱフィードバックを前記拡張された物理ＨＡＲＱインディケータチャネルを用いて受信する時が前記情報によって指示されたサブフレームを除くサブフレームである場合、前記トランスポートブロックの送信に対する前記ＨＡＲＱフィードバックを受信する時に、前記トランスポートブロックが対応するＨＡＲＱプロセスが管理する状態変数にＡＣＫ（acknowledgement）をセットする機能と、を前記移動局装置に発揮させる。
【００２７】
（１８）また、本発明の集積回路は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを基地局装置から受信する移動局装置に実装されることにより、前記移動局装置に複数の機能を発揮させる集積回路であって、物理上りリンク共用チャネルを用いて前記トランスポートブロックを前記基地局装置に送信する機能と、前記拡張された物理ＨＡＲＱインディケータチャネルに対応する識別子を用いて前記拡張された物理ＨＡＲＱインディケータチャネルの検出を試みる機能と、前記トランスポートブロックの送信に対する前記ＨＡＲＱフィードバックの送信に用いられる前記拡張された物理ＨＡＲＱインディケータチャネルを検出した場合、前記トランスポートブロックが対応するＨＡＲＱプロセスが管理する状態変数に、前記拡張された物理ＨＡＲＱインディケータチャネルを用いて受信した前記ＨＡＲＱフィードバックが指示するＡＣＫ（acknowledgement）またはＮＡＣＫ（negative-acknowledgement）をセットする機能と、前記トランスポートブロックの送信に対する前記ＨＡＲＱフィードバックの送信に用いられる前記拡張された物理ＨＡＲＱインディケータチャネルを検出しなかった場合、前記トランスポートブロックが対応するＨＡＲＱプロセスが管理する状態変数に、ＡＣＫ（acknowledgement）をセットする機能と、を前記移動局装置に発揮させる。
【００２８】
（１９）また、本発明の基地局装置は、ＭＢＳＦＮ(Multicast /Broadcast over Single Frequency Network)サブフレームおよびｎｏｎ−ＭＢＳＦＮサブフレームを用いて移動局装置と通信し、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを前記移動局装置に送信する基地局装置であって、前記ＭＢＳＦＮサブフレームのうち、前記拡張された物理ＨＡＲＱインディケータチャネルを用いた前記ＨＡＲＱフィードバックの送信のために予約されるサブフレームを指示する情報を送信する。
【００２９】
（２０）また、本発明は、上記の基地局装置において、前記ＭＢＳＦＮサブフレームとして予約されるサブフレームを指示する情報を前記移動局装置に送信する。
【００３０】
（２１）また、本発明の基地局装置は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを移動局装置に送信する基地局装置であって、前記拡張された物理ＨＡＲＱインディケータチャネルを用いた前記ＨＡＲＱフィードバックの送信のために予約されるサブフレームを指示する情報を前記移動局装置に送信する。
【００３１】
（２２）また、本発明は、上記の基地局装置において、トランスポートブロックの送信に対するＨＡＲＱフィードバックを、拡張された物理ＨＡＲＱインディケータチャネルを用いて受信しなければならないかどうかを指示する情報を前記移動局装置に送信する。
【００３２】
（２３）また、本発明は、上記の基地局装置において、前記トランスポートブロックを受信したサブフレームから４つ後のサブフレームにおいて、前記トランスポートブロックの送信に対する前記ＨＡＲＱフィードバックを前記拡張された物理ＨＡＲＱインディケータチャネルを用いて前記移動局装置に送信する。
【００３３】
（２４）また、本発明の無線通信方法は、ＭＢＳＦＮ(Multicast /Broadcast over Single Frequency Network)サブフレームおよびｎｏｎ−ＭＢＳＦＮサブフレームを用いて移動局装置と通信し、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを前記移動局装置に送信する基地局装置に用いられる無線通信方法であって、前記ＭＢＳＦＮサブフレームのうち、前記拡張された物理ＨＡＲＱインディケータチャネルを用いた前記ＨＡＲＱフィードバックの送信のために予約されるサブフレームを指示する情報を送信する。
【００３４】
（２５）また、本発明の無線通信方法は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを移動局装置に送信する基地局装置に用いられる無線通信方法であって、前記拡張された物理ＨＡＲＱインディケータチャネルを用いた前記ＨＡＲＱフィードバックの送信のために予約されるサブフレームを指示する情報を前記移動局装置に送信する。
【００３５】
（２６）また、本発明の集積回路は、ＭＢＳＦＮ(Multicast /Broadcast over Single Frequency Network)サブフレームおよびｎｏｎ−ＭＢＳＦＮサブフレームを用いて移動局装置と通信し、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを前記移動局装置に送信する基地局装置に実装されることにより、前記基地局装置に機能を発揮させる集積回路であって、前記ＭＢＳＦＮサブフレームのうち、前記拡張された物理ＨＡＲＱインディケータチャネルを用いた前記ＨＡＲＱフィードバックの送信のために予約されるサブフレームを指示する情報を送信する機能を、前記基地局装置に発揮させる。
【００３６】
（２７）また、本発明の集積回路は、物理ＨＡＲＱインディケータチャネルおよび拡張された物理ＨＡＲＱインディケータチャネルの両方、またはいずれか一方を用いてトランスポートブロックの送信に対するＨＡＲＱフィードバックを移動局装置に送信する基地局装置に実装されることにより、前記基地局装置に機能を発揮させる集積回路であって、前記拡張された物理ＨＡＲＱインディケータチャネルを用いた前記ＨＡＲＱフィードバックの送信のために予約されるサブフレームを指示する情報を前記移動局装置に送信する機能を、前記基地局装置に発揮させる。
【発明の効果】
【００３７】
この発明によれば、移動局装置と基地局装置は、Ｅ−ＰＨＩＣＨを用いて正しく通信することができる。
【図面の簡単な説明】
【００３８】
【図１】本実施形態の無線通信システムの概念図である。
【図２】本実施形態のフレーム構成を示す図である。
【図３】本実施形態のＭＢＳＦＮサブフレームの設定の一例を示す図である。
【図４】本実施形態のＰＤＳＣＨの送信に用いられる第１のサブフレームの構成を示す図である。
【図５】本実施形態のＰＭＣＨの送信に用いられる第２のサブフレームの構成を示す図である。
【図６】本実施形態の物理下りリンクチャネルの配置の一例を示す図である。
【図７】本実施形態のＰＤＳＣＨの送信に用いられるｎｏｎ−ＭＢＳＦＮサブフレームにおける下りリンク参照信号のマッピングの一例を示す図である。
【図８】本実施形態のＰＭＣＨの送信に用いられるＭＢＳＦＮサブフレームにおける下りリンク参照信号のマッピングの一例を示す図である。
【図９】本実施形態のＰＤＳＣＨの送信に用いられるＭＢＳＦＮサブフレームにおける下りリンク参照信号のマッピングの一例を示す図である。
【図１０】本実施形態の同期ＨＡＲＱの一例を示す図である。
【図１１】本実施形態のＨＡＲＱエンティティの動作の一例を説明するための図である。
【図１２】本実施形態の下りリンク制御情報の符号化方法を示すフローである。
【図１３】本実施形態のＨＡＲＱインディケータの符号化方法を示すフローである。
【図１４】本発明の第２の実施形態におけるＥ−ＰＨＩＣＨを用いたＨＡＲＱインディケータの送信のために予約されるＭＢＳＦＮサブフレームを示す図である。
【図１５】本発明の第２の実施形態におけるＥ−ＰＨＩＣＨを用いたＨＡＲＱインディケータの送信のために予約されるサブフレームを示す図である。
【図１６】本実施形態の移動局装置１の構成を示す概略ブロック図である。
【図１７】本実施形態の基地局装置３の構成を示す概略ブロック図である。
【発明を実施するための形態】
【００３９】
（第１の実施形態）
以下、本発明の第１の実施形態について説明する。
【００４０】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４１】
本実施形態のチャネルについて説明する。
【００４２】
また、図１において、移動局装置１から基地局装置３への上りリンクの無線通信では、以下の信号および物理チャネルが用いられる。物理層で用いられるチャネルを物理チャネルと呼称する。
・上りリンク参照信号（Uplink Reference Signal: UL RS）
・物理上りリンク制御チャネル（Physical Uplink Control Channel: PUCCH）
・物理上りリンク共用チャネル（Physical Uplink Shared Channel: PUSCH）
・物理ランダムアクセスチャネル（Physical Random Access Channel: PRACH）
【００４３】
上りリンク参照信号は、基地局装置３が上りリンクの時間領域の同期をとるために用いられる。また、上りリンク参照信号は、基地局装置３が上りリンクの受信品質を測定するために用いられる。また、上りリンク参照信号は、基地局装置３がＰＵＳＣＨやＰＵＣＣＨの伝搬路補正を行なうために用いられる。
【００４４】
ＰＵＣＣＨは、通信の制御に用いられる情報である上りリンク制御情報（Uplink Control Information: UCI）を送信するために用いられる物理チャネルである。上りリンク制御情報は、下りリンクのチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ（acknowledgement）／ＮＡＣＫ（negative-acknowledgement）を含む。
【００４５】
ＰＵＳＣＨは、上りリンクデータ（Uplink-Shared Channel: UL-SCH）、上りリンク制御情報（ＡＣＫ／ＮＡＣＫおよび／またはチャネル状態情報）を送信するために用いられる物理チャネルである。
【００４６】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００４７】
図１において、基地局装置３から移動局装置１への下りリンクの無線通信では、以下の信号および物理チャネルが用いられる。
・同期信号（Synchronization signal: SS）
・下りリンク参照信号（Downlink Reference Signal: DL RS）
・物理報知チャネル（Physical Broadcast Channel: PBCH）
・物理制御フォーマットインディケータチャネル（Physical Control Format Indicator Channel: PCFICH）
・物理ＨＡＲＱインディケータチャネル（Physical Hybrid automatic repeat request Indicator Channel: PHICH）
・拡張された物理ＨＡＲＱインディケータチャネル（Enhanced-Physical Hybrid automatic repeat request Indicator Channel: E-PHICH）
・物理下りリンク制御チャネル（Physical Downlink Control Channel: PDCCH）
・拡張された物理下りリンク制御チャネル（Enhanced-Physical Downlink Control Channel: PDCCH）
・物理下りリンク共用チャネル（Physical Downlink Shared Channel: PDSCH）
・物理マルチキャストチャネル（Physical Multicast Channel: PMCH）
【００４８】
同期信号は、移動局装置１が下りリンクの周波数領域および時間領域の同期をとるために用いられる。
【００４９】
下りリンク参照信号は、以下の４つのタイプが定義される。
・セル固有参照信号（Cell-specific Reference Signals: CRS）
・ＭＢＳＦＮ参照信号（Multicast/Broadcast over Single Frequency Network Reference Signals: MBSFN RS）
・移動局装置固有参照信号（User Equipment-specific Reference signals: URS）
・チャネル状態情報参照信号（Chanel State Information Reference signals: CSI-RS）
【００５０】
セル固有参照信号は、移動局装置１が下りリンクの周波数領域および時間領域の同期をとるために用いられる。セル固有参照信号は、移動局装置１がＰＣＦＩＣＨ、ＰＨＩＣＨ、ＰＤＣＣＨおよびＰＤＳＣＨの伝搬路補正を行なうために用いられる。セル固有参照信号は、移動局装置１が下りリンクのチャネル状態情報を算出するために用いられる。セル固有参照信号は、複数の移動局装置１を対象とする参照信号である。セル固有参照信号は、下りリンクの全帯域にわたって送信される。
【００５１】
ＭＢＳＦＮ参照信号は、移動局装置１がＰＭＣＨの伝搬路補正を行なうために用いられる。ＭＢＳＦＮ参照信号は、複数の移動局装置１を対象とする参照信号である。ＭＢＳＦＮ参照信号は、下りリンクの全帯域にわたって送信される。
【００５２】
移動局装置固有参照信号は、移動局装置１がＥ−ＰＨＩＣＨ、Ｅ−ＰＤＣＣＨおよびＰＤＳＣＨの伝搬路補正を行なうために用いられる。移動局装置固有参照信号は、特定の移動局装置１を対象とする参照信号である。移動局装置固有参照信号は、対応する移動局装置１を対象とするＰＤＳＣＨの送信に用いられる帯域のみにおいて送信される。
【００５３】
チャネル状態情報参照信号は、移動局装置１が下りリンクのチャネル状態情報を算出するために用いられる。チャネル状態情報参照信号は、基地局装置３が設定した帯域のみにおいて送信される。
【００５４】
ＰＢＣＨは、移動局装置１で共通に用いられるシステム情報（マスターインフォメーションブロック、Broadcast Channel: BCH）を報知するために用いられる物理チャネルである。ＰＢＣＨは、４０ms間隔で送信される。４０ms間隔のタイミングは、移動局装置１においてブラインド検出（blind detection）される。また、ＰＢＣＨは、10ms間隔で再送信される。
【００５５】
ＰＣＦＩＣＨは、ＰＤＣＣＨの送信のために予約される領域（ＯＦＤＭシンボル）を指示する情報を送信するために用いられる物理チャネルである。
【００５６】
ＰＨＩＣＨおよびＥ−ＰＨＩＣＨは、基地局装置３が受信した上りリンクデータ（Uplink Shared Channel: UL-SCH）の復号の成否を示すＨＡＲＱインディケータ（ＨＡＲＱフィードバック、応答情報）を送信するために用いられる物理チャネルである。基地局装置３が上りリンクデータの復号に成功した場合は、該上りリンクデータに対するＨＡＲＱインディケータにＡＣＫ（ACKnowledgement）をセットする。基地局装置３が上りリンクデータの復号に失敗した場合は、該上りリンクデータに対するＨＡＲＱインディケータにＮＡＣＫ（Negative ACKnowledgement）をセットする。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５７】
ＰＤＣＣＨおよびＥ−ＰＤＣＣＨは、下りリンクグラント（downlink assignment；または下りリンクアサインメント「downlink assignment」とも称する。）や上りリンクグラント（uplink grant）などの下りリンク制御情報（Downlink Control Information: DCI）を送信するために用いられる物理チャネルである。下りリンクグラントは、単一のセル内の単一のＰＤＳＣＨのスケジューリングに用いられる下りリンク制御情報である。上りリンクグラントは、単一のセル内の単一のＰＵＳＣＨのスケジューリングに用いられる下りリンク制御情報である。
【００５８】
ＰＤＳＣＨは、下りリンクデータ（Downlink Shared Channel: DL-SCH）を送信するために用いられる物理チャネルである。
【００５９】
ＰＭＣＨは、ＭＢＭＳ（Multimedia Broadcast and Multicast Service）に関する情報（Multicast Channel: MCH）を送信するために用いられる物理チャネルである。
【００６０】
ＢＣＨ、ＭＣＨ、ＵＬ−ＳＣＨおよびＤＬ−ＳＣＨなどは、トランスポートチャネルである。媒体アクセス制御（Medium Access Control: MAC）層で用いられるチャネルをトランスポートチャネルと呼称する。ＭＡＣ層で用いられるトランスポートチャネルの単位を、トランスポートブロック（transport block: TB）またはＭＡＣ  ＰＤＵ（Protocol Data Unit）とも呼称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６１】
基地局装置３は、移動局装置１のそれぞれに対して、Ｅ−ＰＨＩＣＨとＥ−ＰＤＣＣＨ、および／または、ＰＨＩＣＨとＰＤＣＣＨの受信処理を行うよう、上位層の信号を介して設定することができる。移動局装置１は、デフォルトの設定として、ＰＨＩＣＨおよびＰＤＣＣＨの受信処理を行い、Ｅ−ＰＨＩＣＨおよびＥ−ＰＤＣＣＨの受信処理を行わない。つまり、該情報は、トランスポートブロックの送信に対するＨＡＲＱインディケータをＥ−ＰＨＩＣＨを用いて受信しなければならないかどうかを指示する情報である。また、該情報は、Ｅ−ＰＤＣＣＨを用いて、下りリンク制御情報を受信しなければならないかどうかを指示する情報である。
【００６２】
尚、基地局装置３は、Ｅ−ＰＤＣＣＨを用いて送信した下りリンク制御情報によってスケジュールされる上りリンクのトランスポートブロックに対するＨＡＲＱインディケータを、Ｅ−ＰＨＩＣＨを用いて送信する。また、基地局装置３は、ＰＤＣＣＨを用いて送信した下りリンク制御情報によってスケジュールされる上りリンクのトランスポートブロックに対するＨＡＲＱインディケータを、ＰＨＩＣＨを用いて送信する。
【００６３】
尚、移動局装置１は、Ｅ−ＰＤＣＣＨを用いて受信した下りリンク制御情報に基づき送信したトランスポートブロックに対するＨＡＲＱインディケータを、Ｅ−ＰＨＩＣＨを用いて受信する。また、移動局装置１は、ＰＤＣＣＨを用いて受信した下りリンク制御情報に基づき送信したトランスポートブロックに対するＨＡＲＱインディケータを、ＰＨＩＣＨを用いて受信する。
【００６４】
本実施形態のフレーム構成について説明する。
【００６５】
図２は、本実施形態のフレーム構成を示す図である。図２において、横軸は時間領域である。下りリンクおよび上りリンク送信は無線フレーム（radio frame）内に編成される。単一の無線フレームのぞれぞれは１０ｍｓ長である。また、無線フレームのそれぞれは２０のスロットから構成される。スロットのそれぞれは０．５ｍｓ長である。無線フレーム内のスロットは、０から１９の番号がつけられる。サブフレームは２つの連続するスロットによって定義される。サブフレームのそれぞれは１ｍｓ長である。無線フレーム内のｉ番目のサブフレームは、（２×ｉ）番目のスロットと（２×ｉ＋１）番目のスロットとから構成される。
【００６６】
周波数分割複信 (Frequency Division Duplex: FDD)に対して、１０ｍｓ間隔のそれぞれにおいて、下りリンク送信のために１０サブフレームが利用でき、上りリンク送信のために１０サブフレームが利用できる。ＦＤＤに対して、上りリンクおよび下りリンク送信は周波数領域において分離される。時間分割複信 (Time Division Duplex: TDD)に対して、サブフレームのそれぞれは上りリンク送信または下りリンク送信のためにリザーブされる。以下、本実施形態では、ＦＤＤのシステムを考慮して記載する。しかしながら、本発明はＦＤＤのシステムおよび装置のみに限定されるものではなく、ＴＤＤのシステムおよび装置にも適用可能である。
【００６７】
無線フレーム内の下りリンクサブフレームのサブセットは、上位層によってＭＢＳＦＮ（Multicast/Broadcast over Single Frequency Network）サブフレームとして設定することができる。ＭＢＳＦＮサブフレームは、ＭＢＳＦＮのためにリザーブされるサブフレームである。ＭＢＳＦＮサブフレームとして設定されなかった下りリンクサブフレームを、ｎｏｎ−ＭＢＳＦＮサブフレームまたはユニキャストサブフレームと称する。無線フレーム内の上りリンクサブフレームは、ＭＢＳＦＮのために使用されない。
【００６８】
基地局装置３は、ＭＢＳＦＮサブフレームとして予約されるサブフレームを指示する情報（MBSFNsubframeConfigList）を移動局装置１に送信する。移動局装置１は、受信したMBSFNsubframeConfigListに従って、下りリンクサブフレームのサブセットをＭＢＳＦＮサブフレームとして設定する。つまり、ＭＢＳＦＮサブフレームはMBSFNsubframeConfigListによって指示されたサブフレームである。
【００６９】
基地局装置３は、ｎｏｎ−ＭＢＳＦＮサブフレームにおいて、ＰＤＳＣＨの送信をすることができ、ＰＭＣＨの送信をすることができない。また、基地局装置３は、ＭＢＳＦＮサブフレームにおいて、ＰＤＳＣＨおよびＰＭＣＨのうち何れか一方の送信をすることができる。基地局装置３は、単一のサブフレームにおいて複数のＰＤＳＣＨを送信することができる。単一のサブフレームにおいて、複数のＰＤＳＣＨは周波数多重および／または空間多重されうる。基地局装置３は、単一のサブフレームにおいて、サブフレーム内の全ての帯域を用いて単一のＰＭＣＨを送信することができる。
【００７０】
ＭＢＳＦＮサブフレームのそれぞれは、ｎｏｎ−ＭＢＳＦＮ領域とＭＢＳＦＮ領域に分割される。ｎｏｎ−ＭＢＳＦＮ領域は、ＭＢＳＦＮサブフレーム内の最初の１つまたは２つのＯＦＤＭシンボルから構成される。ＭＢＳＦＮ領域は、ＭＢＳＦＮサブフレーム内のｎｏｎ−ＭＢＳＦＮ領域として使われないＯＦＤＭシンボルから構成される。ｎｏｎ−ＭＢＳＦＮ領域は、ＭＢＳＦＮのために予約されていない領域である。ＭＢＳＦＮ領域は、ＭＢＳＦＮのために予約されている領域である。
【００７１】
図３は、本実施形態のＭＢＳＦＮサブフレームの設定の一例を示す図である。図３において、横軸は時間領域である。図３において、｛２，３，４，７，８，１１，１３，１５，１６｝のサブフレームはＭＢＳＦＮサブフレームであり、残りのサブフレームがｎｏｎ−ＭＢＳＦＮサブフレームである。図３において、｛２，３，４，８｝のサブフレームはＰＭＣＨの送信のために用いられるＭＢＳＦＮサブフレームである。図３において、｛７，１１，１３｝のサブフレームはＰＤＳＣＨの送信のために用いられるＭＢＳＦＮサブフレームである。図３において、｛１５，１６｝のサブフレームは、ＰＭＣＨおよびＰＤＳＣＨの何れも送信されないＭＢＳＦＮサブフレームである。以下、ＰＤＳＣＨの送信に用いられるサブフレームＭＢＳＦＮサブフレーム、およびＰＤＳＣＨの送信に用いられるｎｏｎ−ＭＢＳＦＮサブフレームを第１のサブフレームとも呼称する。また、ＰＭＣＨの送信に用いられるＭＢＳＦＮサブフレームを第２のサブフレームとも呼称する。
【００７２】
本実施形態のサブフレーム（スロット）構成について説明する。
【００７３】
サブフレームのそれぞれにおいて送信される信号または物理チャネルは、リソースグリッドによって表現される。リソースグリッドは複数のサブキャリアと複数のＯＦＤＭ（Orthogonal Frequency Division Multiplexing）シンボル（またはＳＣ−ＦＤＭＡ（Single-Carrier Frequency Division Multiple Access）シンボル）によって定義される。リソースグリッド内のエレメントのそれぞれをリソースエレメントと称する。リソースエレメントは、サブキャリアの番号とＯＦＤＭシンボル（ＳＣ−ＦＤＭＡシンボル）の番号とを用いて識別する。１つのスロットを構成するサブキャリアの数は、キャリアの帯域幅に依存する。
【００７４】
図４は、本実施形態のＰＤＳＣＨの送信に用いられる第１のサブフレームの構成を示す図である。図４において、横軸は時間領域であり、縦軸は周波数領域である。第１のサブフレーム（ｎｏｎ−ＭＢＳＦＮサブフレームまたはＭＢＳＦＮサブフレーム）において、１つのスロットを構成するＯＦＤＭシンボル（ＳＣ−ＦＤＭＡシンボル）の数は７である。
【００７５】
リソースブロックは、ある物理チャネル（ＰＤＳＣＨなど）のリソースエレメントのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。また、１つの物理リソースブロックは、時間領域において１つのスロットに対応し、周波数領域において１８０ｋＨｚに対応する。物理リソースブロックは周波数領域において０から番号が付けられる。第一のサブフレームにおいて、１つの物理リソースブロックは、時間領域において７個の連続するＯＦＤＭシンボル（ＳＣ−ＦＤＭＡシンボル）と周波数領域において１２個の連続するサブキャリアとから定義される。ゆえに、第一のサブフレームにおいて、１つの物理リソースブロックは（７×１２）個のリソースエレメントから構成される。
【００７６】
図５は、本実施形態のＰＭＣＨの送信に用いられる第２のサブフレームの構成を示す図である。図５において、横軸は時間領域であり、縦軸は周波数領域である。第２のサブフレーム（ＭＢＳＦＮサブフレーム）において、１つのスロットを構成するＯＦＤＭシンボルの数は６である。第２のサブフレームにおいて、１つの物理リソースブロックは、時間領域において６個の連続するＯＦＤＭシンボルと周波数領域において１２個の連続するサブキャリアとから定義される。ゆえに、第２のサブフレームにおいて、１つの物理リソースブロックは（６×１２）個のリソースエレメントから構成される。
【００７７】
第２のサブフレームにおいて、ＭＢＳＦＮ領域のＯＦＤＭシンボルのガードインターバルは、ｎｏｎ−ＭＢＳＦＮ領域のＯＦＤＭシンボルのガードインターバルより長い。
【００７８】
本実施形態の物理下りリンクチャネルの配置の一例について説明する。
【００７９】
図６は、本実施形態の物理下りリンクチャネルの配置の一例を示す図である。図６において、横軸は時間領域であり、縦軸は周波数領域である。ＰＣＦＩＣＨは、ｎｏｎＭＢＳＦＮサブフレームまたはＭＢＳＦＮサブフレーム内の０番（最初）のＯＦＤＭシンボルにマップされる。また、ＰＣＦＩＣＨは、周波数領域において分散した４つのリソースエレメントグループにマップされる。リソースエレメントグループは、周波数領域において連続する複数のリソースエレメントから構成される。
【００８０】
ＰＨＩＣＨは、ｎｏｎ−ＭＢＳＦＮサブフレームまたはＭＢＳＦＮサブフレーム内の０番（最初）のＯＦＤＭシンボルにマップされる。１つのＰＨＩＣＨは、周波数領域において分散した３つのリソースエレメントグループにマップされる。また、基地局装置３は、複数のＰＨＩＣＨを、同じリソースエレメント上で符号多重することができる。
【００８１】
ＰＤＣＣＨは、ｎｏｎ−ＭＢＳＦＮサブフレームにおいてサブフレーム内の０番、０番と１番または０番から２番までのＯＦＤＭシンボルにマップされる。ＰＤＣＣＨは、ＭＢＳＦＮサブフレームにおいてサブフレーム内の０番、または０番と１番のＯＦＤＭシンボルにマップされる。０番のＯＦＤＭシンボルにおいて、ＰＤＣＣＨはＰＣＦＩＣＨおよびＰＨＩＣＨがマップされるリソースエレメントを避けてマップされる。移動局装置１は、ＰＣＦＩＣＨで受信した情報に基づいて、ＰＤＣＣＨがマップされるＯＦＤＭシンボルを認識する。また、基地局装置３は、単一のサブフレーム内において複数のＰＤＣＣＨを、時間多重および周波数多重することができる。
【００８２】
ＰＤＳＣＨは、ｎｏｎＭＢＳＦＮサブフレームまたはＭＢＳＦＮサブフレーム内のＰＤＣＣＨがマップされないＯＦＤＭシンボルにマップされる。基地局装置３は、単一のサブフレーム内において複数のＰＤＳＣＨを周波数多重、時間多重および／または空間多重することができる。
【００８３】
Ｅ−ＰＨＩＣＨは、ｎｏｎＭＢＳＦＮサブフレームまたはＭＢＳＦＮサブフレーム内の４番目のＯＦＤＭシンボルにマップされる。１つのＥ−ＰＨＩＣＨは、周波数領域において分散した３つのリソースエレメントグループにマップされる。また、基地局装置３は、複数のＥ−ＰＨＩＣＨを、同じリソースエレメント上で符号多重することができる。
【００８４】
Ｅ−ＰＤＣＣＨは、ｎｏｎＭＢＳＦＮサブフレームまたはＭＢＳＦＮサブフレーム内のＰＤＣＣＨがマップされないＯＦＤＭシンボルにマップされる。Ｅ−ＰＤＣＣＨは、Ｅ−ＰＨＩＣＨと周波数多重および時間多重される。Ｅ−ＰＤＣＣＨは、ＰＤＳＣＨと時間多重される。基地局装置３は、単一のサブフレーム内において複数のＥ−ＰＤＣＣＨを周波数多重、時間多重および／または空間多重することができる。
【００８５】
ＰＭＣＨは、ＭＢＳＦＮサブフレーム内のＭＢＳＦＮ領域にマップされる。基地局装置３は、単一のサブフレーム内において単一のＰＭＣＨを送信することができる。
【００８６】
同期信号は、時間領域において無線フレームのそれぞれにおいて０番と５番のサブフレームで送信される。当該０番と５番のサブフレームにおいて、同期信号は第１のスロットの５番と６番のＯＦＤＭシンボルで送信される。また、同期信号は、周波数領域において、セルの下りリンクの中央の７２サブキャリアで送信される。
【００８７】
ＰＢＣＨは、時間領域において無線フレームのそれぞれにおいて０番のサブフレームで送信される。当該０番のサブフレームにおいて、ＰＢＣＨは第２のスロットの０番から３番までのＯＦＤＭシンボルで送信される。また、ＰＢＣＨは、周波数領域において、セルの下りリンクの中央の７２サブキャリアで送信される。
【００８８】
基地局装置３は、同期信号および／またはＰＢＣＨが送信されるサブフレームにおいて、ＰＭＣＨを送信しない。基地局装置３は、同期信号および／またはＰＢＣＨが送信されるサブフレームをＭＢＳＦＮサブフレームとして予約しない。つまり、同期信号および／またはＰＢＣＨが送信されるサブフレームはｎｏｎ−ＭＢＳＦＮサブフレームである。
【００８９】
本実施形態の下りリンク参照信号のマッピングの一例について説明する。
【００９０】
図７は、本実施形態のＰＤＳＣＨの送信に用いられるｎｏｎ−ＭＢＳＦＮサブフレームにおける下りリンク参照信号のマッピングの一例を示す図である。図７において、横軸は時間領域であり、縦軸は周波数領域である。図７では、ｎｏｎ−ＭＢＳＦＮサブフレーム内の同じ番号の物理リソースブロックのみを示す。図７において、Ｒｉが付された四角はアンテナポートｉのセル固有参照信号の送信に用いられるリソースエレメントである（ｉ＝０，１）。図７において、Ｃｊが付された四角はアンテナポートｊのチャネル状態情報参照信号の送信に用いられるリソースエレメントである（ｊ＝２，３，４，５）。図７において、Ｕ６が付された四角はアンテナポート６の移動局装置固有参照信号の送信に用いられるリソースエレメントである。
【００９１】
ＣＲＳの送信に用いられるリソースエレメントは、セルの物理レイヤセル識別子（physical-layer cell identity: PCI、Cell ID）に基づいて決定される。物理リソースブロック内のＣＳＩ−ＲＳの送信に用いられるリソースエレメントは、基地局装置３によって設定される。基地局装置３は、周期的に設定した下りリンクサブフレームやＣＳＩ−ＲＳの送信に用いられるリソースエレメントなどを示すＣＳＩ−ＲＳの設定に関する情報を移動局装置１に送信する。
【００９２】
図８は、本実施形態のＰＭＣＨの送信に用いられるＭＢＳＦＮサブフレームにおける下りリンク参照信号のマッピングの一例を示す図である。図８において、横軸は時間領域であり、縦軸は周波数領域である。図８では、ＭＢＳＦＮサブフレーム内の同じ番号の物理リソースブロックのみを示す。図８において、Ｒｉが付された四角はアンテナポートｉのセル固有参照信号の送信に用いられるリソースエレメントである（ｉ＝０，１）。図８において、Ｍ７が付された四角はアンテナポート７のＭＢＳＦＮ参照信号の送信に用いられるリソースエレメントである。
【００９３】
図９は、本実施形態のＰＤＳＣＨの送信に用いられるＭＢＳＦＮサブフレームにおける下りリンク参照信号のマッピングの一例を示す図である。図９において、横軸は時間領域であり、縦軸は周波数領域である。図９では、ＭＢＳＦＮサブフレーム内の同じ番号の物理リソースブロックのみを示す。図９において、Ｒｉが付された四角はアンテナポートｉのセル固有参照信号の送信に用いられるリソースエレメントである（ｉ＝０，１）。図９おいて、Ｕ６が付された四角はアンテナポート６の移動局装置固有参照信号の送信に用いられるリソースエレメントである。
【００９４】
本実施形態の上りリンクのＨＡＲＱの動作について説明する。
【００９５】
本実施形態の上りリンクのＨＡＲＱは、同期（synchronous）ＨＡＲＱである。移動局装置は、１つのＨＡＲＱエンティティを備える。ＨＡＲＱエンティティは８つの並行したＨＡＲＱを管理する。
【００９６】
図１０は、本実施形態の同期ＨＡＲＱの一例を示す図である。図１０において、横軸は時間領域である。同期ＨＡＲＱにおいて、ＨＡＲＱプロセスは上りリンクまたは下りリンクのサブフレームに対応付けられる。下りリンクまたは上りリンクの単一のサブフレームは、単一のＨＡＲＱプロセスに対応付けられる。また、下りリンクと上りリンクのサブフレームでは、対応するＨＡＲＱプロセスの番号が４ずれている。
【００９７】
例えば、図１０において、基地局装置３は、下りリンクのサブフレームｎを用いて０番のＨＡＲＱプロセスに対応する下りリンク制御情報および／またはＨＡＲＱインディケータを送信する。移動局装置１は、該下りリンク制御情報および／または該ＨＡＲＱインディケータに基づいて、上りリンクのサブフレームｎ＋４を用いて０番のＨＡＲＱプロセスに対応するトランスポートブロックを送信する。
【００９８】
本実施形態のＨＡＲＱエンティティの動作について説明する。
【００９９】
図１１は、本実施形態のＨＡＲＱエンティティの動作の一例を説明するための図である。図１１において、ＨＡＲＱエンティティは、ＨＡＲＱプロセス０からＨＡＲＱプロセス７の管理をする。図１１において、ＨＡＲＱエンティティは、入力された下りリンク制御情報、ＨＡＲＱインディケータ、トランスポートブロックを適切なＨＡＲＱエンティティに出力する。ＨＡＲＱプロセスのそれぞれは、バッファと状態変数に対応する。つまり、ＨＡＲＱプロセスのそれぞれは、バッファと状態変数を管理する。ＨＡＲＱプロセスは、該バッファに、下りリンク制御情報およびトランスポートブロックをストア（store）する。ＨＡＲＱプロセスは、該状態変数に、ＡＣＫまたはＮＡＣＫをセットする。
【０１００】
ＨＡＲＱエンティティは、あるサブフレームにおいて、下りリンク制御情報および／またはＨＡＲＱインディケータを受信した場合、該あるサブフレームに関連するＨＡＲＱプロセスを特定し、該特定したＨＡＲＱプロセスに該下りリンク制御情報および／または該ＨＡＲＱインディケータを送る。
【０１０１】
ＨＡＲＱプロセスに対する下りリンク制御情報を受信し、該下りリンク制御情報がトランスポートブロックの初期送信を示している場合、または、ＨＡＲＱプロセスに対する下りリンク制御情報を受信し、該特定したＨＡＲＱプロセスのバッファにトランスポートブロックがストアされていない場合、ＨＡＲＱエンティティは、送信するトランスポートブロックを取得し、該トランスポートブロック、下りリンク制御情報、ＨＡＲＱインディケータを該特定したＨＡＲＱプロセスに送り、該特定したＨＡＲＱプロセスに初期送信を要求する。
【０１０２】
ＨＡＲＱプロセスに対する下りリンク制御情報を受信し、該下りリンク制御情報がトランスポートブロックの再送信を示しており、該特定したＨＡＲＱプロセスのバッファにトランスポートブロックがストアされている場合、ＨＡＲＱエンティティは、下りリンク制御情報、ＨＡＲＱインディケータを該特定したＨＡＲＱプロセスに送り、該特定したＨＡＲＱプロセスに適応再送（adaptive retransmission）を要求する。
【０１０３】
ＨＡＲＱプロセスに対する下りリンク制御情報を受信していない場合、ＨＡＲＱエンティティは、ＨＡＲＱインディケータを該特定したＨＡＲＱプロセスに送り、該特定したＨＡＲＱプロセスに非適応再送（non-adaptive retransmission）を要求する。
【０１０４】
本実施形態のＨＡＲＱプロセスについて説明する。
【０１０５】
まず、ＨＡＲＱプロセスは、ＨＡＲＱエンティティからトランスポートブロックに対するＨＡＲＱインディケータが入力された場合、状態変数に該ＨＡＲＱインディケータの値（ＡＣＫまたはＮＡＣＫ）をセットする。次に、ＨＡＲＱプロセスは、ＨＡＲＱエンティティが初期送信、適応再送、非適応再送のいずれを要求しているかに応じて、以下の動作を行なう。
【０１０６】
・ＨＡＲＱプロセスは、ＨＡＲＱエンティティが初期送信を要求している場合、ＨＡＲＱエンティティから入力されたトランスポートブロックおよび下りリンク制御情報を対応するバッファにストアし、対応する状態変数にＮＡＣＫをセットし、ＨＡＲＱプロセスは、ストアしている下りリンク制御情報に従って、ストアしているトランスポートブロックの送信を物理層に指示する。
・ＨＡＲＱプロセスは、ＨＡＲＱエンティティが適応再送を要求している場合、ＨＡＲＱエンティティから入力された下りリンク制御情報を対応するバッファにストアし、対応する状態変数にＮＡＣＫをセットし、ＨＡＲＱプロセスは、ストアしている下りリンク制御情報に従って、ストアしているトランスポートブロックの送信を物理層に指示する。
・ＨＡＲＱプロセスは、ＨＡＲＱエンティティが非適応再送を要求しており、対応する状態変数にＮＡＣＫがセットされている場合、ストアしている下りリンク制御情報に従って、ストアしているトランスポートブロックの送信を物理層に指示する。
・ＨＡＲＱプロセスは、ＨＡＲＱエンティティが非適応再送を要求しており、対応する状態変数にＡＣＫがセットされている場合、ストアしているトランスポートブロックの送信を物理層に指示しない。
【０１０７】
物理層は、ＨＡＲＱプロセスの指示に従って、トランスポートブロックを符号化および変調し、ＰＤＳＣＨを用いて該トランスポートブロックを送信する。
【０１０８】
尚、ＨＡＲＱプロセスは、ストアしているトランスポートブロックの送信を物理層に指示した後、ＨＡＲＱエンティティから新しいトランスポートブロックを入力されるまで、バッファ内のトランスポートブロックを保持する。また、ＨＡＲＱプロセスは、ストアしているトランスポートブロックの送信を物理層に指示した後、ＨＡＲＱエンティティから新しい下りリンク制御情報を入力されるまで、バッファ内の下りリンク制御情報を保持する。また、ＨＡＲＱプロセスは、ＭＡＣがリセットされた場合、バッファ内のトランスポートブロックおよび下りリンク制御情報を破棄してもよい。
【０１０９】
本実施形態のＰＤＣＣＨまたはＥ−ＰＤＣＣＨを用いて送信される下りリンク制御情報の符号化処理および復号処理について説明する。
【０１１０】
図１２は、本実施形態の下りリンク制御情報の符号化方法を示すフローである。基地局装置３は、下りリンク制御情報を用いてＣＲＣ（Cyclic Redundancy Check）符号を算出し、該ＣＲＣ符号を該下りリンク制御情報に付加する（ステップＳ１２００）。基地局装置３は、該付加したＣＲＣ符号をＲＮＴＩ（Radio Network Temporary Identifier）を用いてスクランブルする（ステップＳ１２０２）。例えば、該下りリンク制御情報が特定の移動局装置１を対象としている場合、基地局装置３は、該特定の移動局装置１に割り当てたＲＮＴＩを用いて該ＣＲＣ符号をスクランブルする。基地局装置３は、該下りリンク制御情報を符号化および変調し、変調シンボルを生成する（ステップＳ１２０４）。基地局装置３は、該下りリンク制御情報の変調シンボルを、ＰＤＣＣＨまたはＥ−ＰＤＣＣＨのリソースエレメントに配置する（ステップＳ１２０６）。
【０１１１】
移動局装置１は、ＰＤＣＣＨまたはＥ−ＰＤＣＣＨのリソースエレメントの候補から変調シンボルを取得し、下りリンク制御情報の復号を試みる。また、移動局装置１は、復号した下りリンク制御情報を用いてＣＲＣ符号を生成し、基地局装置３に割り当てられたＲＮＴＩを用いて該生成したＣＲＣ符号をスクランブルする。移動局装置１は、自らが生成したＣＲＣ符号と、復号したＣＲＣ符号を比較する。移動局装置１は、自らが生成したＣＲＣ符号と、復号したＣＲＣ符号がマッチした場合、下りリンク制御情報の復号に成功したとみなし、下りリンク制御情報をＨＡＲＱエンティティに渡す。移動局装置１は、自らが生成したＣＲＣ符号と、復号したＣＲＣ符号がマッチしなかった場合、下りリンク制御情報の復号に失敗したとみなす。
【０１１２】
このように、移動局装置１は、ＣＲＣ符号に基づいて下りリンク制御情報の復号に成功したかどうかを判定することができる。よって、移動局装置１は、ＰＭＣＨの送信に用いられるＭＢＳＦＮサブフレームにおいて下りリンク制御情報の復号を試みても、下りリンク制御情報の復号に失敗したとみなし、誤った下りリンク制御情報を復号してしまうことはない。
【０１１３】
本実施形態のＰＨＩＣＨまたはＥ−ＰＨＩＣＨを用いて送信されるＨＡＲＱインディケータの符号化処理および復号処理について説明する。
【０１１４】
図１３は、本実施形態のＨＡＲＱインディケータの符号化方法を示すフローである。図１３において、ＡＣＫは＜１＞で表現される。ＮＡＣＫは＜０＞で表現される。基地局装置３は、ＮＡＣＫ＜０＞を符号化することによって３ビットの系列＜０，０，０＞を生成する。基地局装置３は、ＡＣＫ＜１＞を符号化することによって３ビットの系列＜１，１，１＞を生成する（ステップＳ１３００）。
【０１１５】
基地局装置３は、ステップＳ１３００で生成した系列をＢＰＳＫ変調することによって、３つの変調シンボル＜z(0), z(1), z(2)＞を生成する（ステップＳ１３０２）。基地局装置３は、ステップＳ１３０２で生成した変調シンボルに対して系列の乗算およびスクランブルを行い、変調シンボルの系列＜d(0), d(1), …, d(Msymb-1)＞を生成する（ステップＳ１３０４）。基地局装置３は、（１）式に基づいて該変調シンボルの系列を生成する。該変調シンボルの系列＜d(0), d(1), …, d(Msymb-1)＞の長さは１２である。
【０１１６】
【数１】
0005941305.tif 000002
【０１１７】
[X] mod [Y]は、[X]を[Y]で割った場合の余りを求める関数である。floor()は、括弧の中の数字よりも小さく、最も大きい整数を求める関数である。c()は、セル固有スクランブリング系列である。c()は、物理層セル識別子およびスロットの番号に基づいて初期値が設定される擬似ランダム系列である。すなわち、ＰＨＩＣＨおよびＥ−ＰＨＩＣＨの変調シンボルは、c()によってスクランブルされる。
【０１１８】
w()は、変調シンボルz()に乗算される直交系列である。w()の系列長は４である。系列インデックスnseqPHICHはＰＨＩＣＨまたはＥ−ＰＨＩＣＨの変調シンボルに乗算される直交系列w()を識別するためのインデックスである。系列インデックスnseqPHICHはＰＨＩＣＨグループ内のＰＨＩＣＨ番号に対応する。ＰＨＩＣＨグループは、同じリソースエレメントに配置される、異なる直交系列w()が乗算された複数のＰＨＩＣＨまたはＥ−ＰＨＩＣＨから構成される。NPHICHSFは、ＰＨＩＣＨの変調のために使用されるスプレッディングファクターサイズ（spreading factor size）である。スプレッディングファクターサイズは４である。
【０１１９】
移動局装置１は、上りリンクデータの送信に用いた物理リソースブロックに基づき、該上りリンクデータの送信に対応するＨＡＲＱインディケータの送信に用いられるリソースエレメントおよび直交符号を決定する。移動局装置１は、決定したリソースエレメントおよび直交符号を用いてＨＡＲＱインディケータの復号処理を行い、ＨＡＲＱインディケータをＨＡＲＱエンティティに渡す。
【０１２０】
しかしながら、ＨＡＲＱインディケータはＣＲＣ符号が付加されていないため、移動局装置１はＣＲＣ符号に基づいてＨＡＲＱインディケータを正しく受信できたかどうかを判断することができないという問題がある。例えば、移動局装置１が送信したトランスポートブロックに対するＨＡＲＱインディケータをＥ−ＰＨＩＣＨを用いて受信する時が、ＰＭＣＨの送信に用いられるＭＢＳＦＮサブフレームである場合、移動局装置１はＰＭＣＨの信号をＥ−ＰＨＩＣＨの信号とみなして受信処理を行い、誤ったＨＡＲＱインディケータを復号してしまう。さらに、移動局装置１は、該誤ったＨＡＲＱインディケータをＨＡＲＱエンティティに渡すため、ＨＡＲＱプロセスの誤動作を引き起こす。
【０１２１】
そこで、移動局装置１は、ＰＵＳＣＨを用いてトランスポートブロックを基地局装置３に送信し、該トランスポートブロックの送信に対するＨＡＲＱインディケータをＥ−ＰＨＩＣＨを用いて受信する時がＭＢＳＦＮサブフレームである場合、該トランスポートブロックの送信に対する該ＨＡＲＱインディケータを受信する時に該トランスポートブロックが対応するＨＡＲＱプロセスが管理する状態変数にＡＣＫをセットする。つまり、移動局装置１は、トランスポートブロックの送信に対するＨＡＲＱインディケータをＥ−ＰＨＩＣＨを用いて受信する時がＭＢＳＦＮサブフレームである場合、Ｅ−ＰＨＩＣＨの受信処理を行わなくてもよい。または、移動局装置１は、トランスポートブロックの送信に対するＨＡＲＱインディケータをＥ−ＰＨＩＣＨを用いて受信する時がＭＢＳＦＮサブフレームである場合、Ｅ−ＰＨＩＣＨの受信処理を行ったとしても、ＨＡＲＱインディケータをＨＡＲＱエンティティに渡さず、破棄してもよい。
【０１２２】
また、基地局装置３は、ＰＤＳＣＨおよび／またはＥ−ＰＤＣＣＨの送信に用いられるＭＢＳＦＮサブフレームにおいて、Ｅ−ＰＨＩＣＨを送信しなくてもよい。
【０１２３】
これにより、トランスポートブロックの送信に対するＨＡＲＱインディケータをＥ−ＰＨＩＣＨを用いて移動局装置１が受信する時が、ＰＭＣＨの送信に用いられるＭＢＳＦＮサブフレームである場合に、移動局装置１が誤ったＨＡＲＱインディケータを復号することを避けることができる。
【０１２４】
（第２の実施形態）
以下、本発明の第２の実施形態について説明する。
【０１２５】
ＰＤＳＣＨの送信に用いられるＭＢＳＦＮサブフレームにおいて、Ｅ−ＰＨＩＣＨを送信することが好ましい。しかしながら、移動局装置１は、ＭＢＳＦＮサブフレームにおいてＰＭＣＨとＰＤＳＣＨの何れが送信されているかを知らない。ゆえに、第１の実施形態において、移動局装置１は、ＰＭＣＨの送信に用いられるＭＢＳＦＮサブフレームだけでなく、ＰＤＳＣＨの送信に用いられるＭＢＳＦＮサブフレームにおいて、Ｅ−ＰＨＩＣＨの受信処理を行わない、またはＥ−ＰＨＩＣＨを用いて受信したＨＡＲＱインディケータを破棄する。
【０１２６】
そこで、第２の実施形態において、基地局装置３は、ＭＢＳＦＮサブフレームのうち、Ｅ−ＰＨＩＣＨを用いたＨＡＲＱインディケータの送信のために予約されるサブフレームを指示する情報（E-PHICHsubframeConfig）を移動局装置１に送信する。または、基地局装置３は、該情報を報知する。基地局装置３は、該情報を含む上位層の信号（higher layer signal, radio resource control signal, radio resource control message）を、ＰＤＳＣＨを用いて送信（報知）する。基地局装置３は、ＭＢＳＦＮサブフレームのうち、前記情報によって指示されたＭＢＳＦＮサブフレームにおいてＥ−ＰＨＩＣＨを用いてＨＡＲＱインディケータを送信する。また、基地局装置３は、ＭＢＳＦＮサブフレームのうち、前記情報によって指示されなかったＭＢＳＦＮサブフレームにおいてＥ−ＰＨＩＣＨを用いてＨＡＲＱインディケータを送信しなくてもよい。つまり、前記情報は、基地局装置３がＥ−ＰＨＩＣＨを送信するＭＢＳＦＮサブフレームおよびＥ−ＰＨＩＣＨを送信しないＭＢＳＦＮサブフレームを指示する情報である。
【０１２７】
第２の実施形態において、移動局装置１は、トランスポートブロックの送信に対するＨＡＲＱインディケータをＥ−ＰＨＩＣＨを用いて受信する時が、該情報によって指示されたＭＢＳＦＮサブフレームである場合、該トランスポートブロックの送信に対する該ＨＡＲＱインディケータをＥ−ＰＨＩＣＨを用いて受信する。
【０１２８】
第２の実施形態において、移動局装置１は、トランスポートブロックの送信に対するＨＡＲＱインディケータをＥ−ＰＨＩＣＨを用いて受信する時が、該情報によって指示されたＭＢＳＦＮサブフレームを除くＭＢＳＦＮサブフレームである場合、該トランスポートブロックの送信に対する該ＨＡＲＱインディケータを受信する時に該トランスポートブロックが対応するＨＡＲＱプロセスが管理する状態変数にＡＣＫをセットする。
【０１２９】
図１４は、本発明の第２の実施形態におけるＥ−ＰＨＩＣＨを用いたＨＡＲＱインディケータの送信のために予約されるＭＢＳＦＮサブフレームを示す図である。図１４において、横軸は時間領域である。図１４において、｛２，３，４，７，８，１１，１３，１５，１６｝のサブフレームはＭＢＳＦＮサブフレームであり、残りのサブフレームがｎｏｎ−ＭＢＳＦＮサブフレームである。図１４において、｛１１，１３｝のサブフレームは、Ｅ−ＰＨＩＣＨを用いたＨＡＲＱインディケータの送信のために予約されるＭＢＳＦＮサブフレームであり、｛２，３，４，７，８，１５，１６｝のサブフレームはＥ−ＰＨＩＣＨを用いたＨＡＲＱインディケータの送信のために予約されないＭＢＳＦＮサブフレームである。図１４において、ＭＢＳＦＮサブフレームのうち、Ｅ−ＰＨＩＣＨを用いたＨＡＲＱインディケータの送信のために予約されるサブフレームを指示する情報は、｛１１，１３｝のサブフレームを指示する。
【０１３０】
例えば、図１４において、基地局装置３は、｛１１，１３｝のサブフレームにおいてＥ−ＰＨＩＣＨを送信し、｛２，３，４，７，８，１５，１６｝のサブフレームにおいてＥ−ＰＨＩＣＨを送信しない。例えば、図１４において、移動局装置１は、｛１１，１３｝のサブフレームにおいてＥ−ＰＨＩＣＨを用いたＨＡＲＱインディケータを受信し、受信したＨＡＲＱインディケータをＨＡＲＱエンティティに渡し、｛２，３，４，７，８，１５，１６｝のサブフレームにおいてＥ−ＰＨＩＣＨを用いてＨＡＲＱインディケータを受信せず、ＡＣＫを指示するＨＡＲＱインディケータをＨＡＲＱエンティティに渡す。
【０１３１】
尚、基地局装置３は、ＭＢＳＦＮサブフレームのうちＥ−ＰＨＩＣＨを用いたＨＡＲＱインディケータの送信のために予約されるサブフレームを指示する情報の代わりに、全てのサブフレームのうちＥ−ＰＨＩＣＨを用いたＨＡＲＱインディケータの送信のために予約されるサブフレームを指示する情報を送信してもよい。
【０１３２】
この場合、移動局装置１は、Ｅ−ＰＨＩＣＨを用いたＨＡＲＱインディケータの送信のために予約されるサブフレームを指示する情報を受信し、ＰＵＳＣＨを用いてトランスポートブロックを基地局装置３に送信し、トランスポートブロックの送信に対するＨＡＲＱインディケータをＥ−ＰＨＩＣＨを用いて受信する時が該情報によって指示されたサブフレームである場合、該トランスポートブロックの送信に対する該ＨＡＲＱインディケータをＥ−ＰＨＩＣＨを用いて受信する。
【０１３３】
また、移動局装置１は、Ｅ−ＰＨＩＣＨを用いたＨＡＲＱインディケータの送信のために予約されるサブフレームを指示する情報を受信し、ＰＵＳＣＨを用いてトランスポートブロックを基地局装置３に送信し、トランスポートブロックの送信に対するＨＡＲＱインディケータをＥ−ＰＨＩＣＨを用いて受信する時が該情報によって指示されたサブフレームを除くサブフレームである場合、トランスポートブロックの送信に対するＨＡＲＱインディケータを受信する時に、トランスポートブロックが対応するＨＡＲＱプロセスが管理する状態変数にＡＣＫをセットする。
【０１３４】
図１５は、本発明の第２の実施形態におけるＥ−ＰＨＩＣＨを用いたＨＡＲＱインディケータの送信のために予約されるサブフレームを示す図である。図１５において、横軸は時間領域である。図１５において、｛２，３，４，７，８，１１，１３，１５，１６｝のサブフレームはＭＢＳＦＮサブフレームであり、残りのサブフレームがｎｏｎ−ＭＢＳＦＮサブフレームである。図１５において、｛０，１，５，６，９，１０，１１，１２，１３，１４，１７｝のサブフレームは、Ｅ−ＰＨＩＣＨを用いたＨＡＲＱインディケータの送信のために予約されるサブフレームであり、｛２，３，４，７，８，１５，１６｝のサブフレームはＥ−ＰＨＩＣＨを用いたＨＡＲＱインディケータの送信のために予約されないサブフレームである。図１４において、全てのサブフレームのうち、Ｅ−ＰＨＩＣＨを用いたＨＡＲＱインディケータの送信のために予約されるサブフレームを指示する情報は、｛０，１，５，６，９，１０，１１，１２，１３，１４，１７｝のサブフレームを指示する。
【０１３５】
これにより、基地局装置３と移動局装置１は、Ｅ−ＰＨＩＣＨを用いたＨＡＲＱインディケータの送信のために予約されるＭＢＳＦＮサブフレームにおいて、Ｅ−ＰＨＩＣＨを用いてＨＡＲＱインディケータを送信および受信することができる。
【０１３６】
（第３の実施形態）
以下、本発明の第３の実施形態について説明する。
【０１３７】
基地局装置３は、上位の装置からＭＢＭＳのデータを入力される。また、基地局装置３は、上位の装置からＰＭＣＨを送信するサブフレームを指示される。基地局装置３は、上位の装置からＰＭＣＨを送信することを指示されたサブフレームを、ＭＢＳＦＮサブフレームとして予約する。しかしながら、上位の装置と基地局装置３の通信の障害により上位の装置からＰＭＣＨを送信することを指示されたサブフレームにおいてＰＭＣＨで送信するＭＢＭＳのデータを失うことがある。基地局装置３は、このようなＭＢＳＦＮサブフレームをＰＤＳＣＨの送信のために再利用してもよい。
【０１３８】
第２の実施形態において、基地局装置３は、Ｅ−ＰＨＩＣＨを用いたＨＡＲＱインディケータの送信のために予約されるサブフレームを指示する情報を移動局装置１に送信した。しかしながら、基地局装置３は、上位の装置と基地局装置３との間でＭＢＭＳのデータの紛失がいつ発生するかわからないため、このようにＰＤＳＣＨの送信のために再利用されるＭＢＳＦＮサブフレームを該情報によって指示することができない。これにより、第２の実施形態において、移動局装置１は、該再利用されるＭＢＳＦＮサブフレームにおいて、Ｅ−ＰＨＩＣＨを受信することができないという問題がある。
【０１３９】
そこで、第３の実施形態において、移動局装置１は、ＭＢＳＦＮサブフレームにおいて、Ｅ−ＰＨＩＣＨと共に送信される移動局装置固有参照信号の検出処理を行う。第３の実施形態において、移動局装置１は、トランスポートブロックの送信に対するＨＡＲＱインディケータをＥ−ＰＨＩＣＨを用いて受信するサブフレームにおいて、該移動局装置固有参照信号を検出した場合、該トランスポートブロックの送信に対する該ＨＡＲＱインディケータをＥ−ＰＨＩＣＨを用いて受信する。
【０１４０】
また、第３の実施形態において、移動局装置１は、トランスポートブロックの送信に対するＨＡＲＱインディケータをＥ−ＰＨＩＣＨを用いて受信するサブフレームにおいて、該移動局装置固有参照信号を検出しなかった場合、該トランスポートブロックの送信に対する該ＨＡＲＱインディケータを受信する時に該トランスポートブロックが対応するＨＡＲＱプロセスが管理する状態変数にＡＣＫをセットする。
【０１４１】
これにより、移動局装置１は、ＰＤＳＣＨの送信のために再利用されるＭＢＳＦＮサブフレームにおいて、Ｅ−ＰＨＩＣＨを受信することができる。
【０１４２】
尚、基地局装置３は、移動局装置固有参照信号とは別のＥ−ＰＨＩＣＨおよび／またはＥ−ＰＤＣＣＨがあることを指示するために用いられる系列を送信してもよい。基地局装置３は、該系列を送信するリソースを設定し、該設定を指示する情報を移動局装置１に送信する。該系列を送信するリソースは、Ｅ−ＰＨＩＣＨの送信に用いられるリソースの一部または全部であることが好ましい。これにより、移動局装置１は、該系列を検出した帯域のリソースを用いて、すぐにＥ−ＰＨＩＣＨの受信処理を行うことができる。また、移動局装置１は、該系列を用いてＥ−ＰＨＩＣＨの伝搬路補正を行なってもよい。
【０１４３】
また、基地局装置３は、該系列を用いて、Ｅ−ＰＤＣＣＨおよびＥ−ＰＨＩＣＨのために予約される物理リソースブロックを指示してもよい。移動局装置１は、該系列によって指示された物理リソースブロックの一部または全部において、Ｅ−ＰＤＣＣＨおよびＥ−ＰＨＩＣＨの受信処理を行ってもよい。これにより、基地局装置３は、Ｅ−ＰＨＩＣＨおよびＥ−ＰＤＣＣＨの送信に用いられる物理リソースブロックを適応的に制御することができる。また、基地局装置３は、物理チャネル（Enhanced-Physical Control Format Indicator Channel: E-PCFICH）を用いて該系列を送信してもよい。
【０１４４】
（第４の実施形態）
以下、本発明の第４の実施形態について説明する。
【０１４５】
第４の実施形態において、基地局装置３は、複数の移動局装置１に対するＨＡＲＱインディケータを結合することにより、ＨＡＲＱインディケータの系列を生成する。基地局装置３は該系列を用いてＣＲＣ符号を生成し、該系列に該ＣＲＣ符号を付加する。基地局装置３は、該付加したＣＲＣ符号をＨＡＲＱ  ＲＮＴＩを用いてスクランブルする。基地局装置３は、ＣＲＣ符号が付加された系列を符号化および変調し、Ｅ−ＰＨＩＣＨのリソースエレメントにマップする。ＨＡＲＱ  ＲＮＴＩはＨＡＲＱインディケータの系列を検出するために用いるＲＮＴＩである。また、基地局装置３は、ＨＡＲＱ  ＲＮＴＩの値を設定することができる。
【０１４６】
第４の実施形態において、移動局装置１は、サブフレームのそれぞれにおいて、Ｅ−ＰＨＩＣＨのリソースエレメントから変調シンボルを取得し、該系列の復号を試みる。また、移動局装置１は、復号した該系列を用いてＣＲＣ符号を生成し、基地局装置３によって設定されたＨＡＲＱ  ＲＮＴＩの値を用いて該生成したＣＲＣ符号をスクランブルする。移動局装置１は自らが生成したＣＲＣ符号と、復号したＣＲＣ符号を比較する。
【０１４７】
移動局装置１は、自らが生成したＣＲＣ符号と、復号したＣＲＣ符号がマッチした場合、該系列の復号に成功したとみなし、該系列から自装置を対象とするＨＡＲＱインディケータを取得し、取得したＨＡＲＱインディケータをＨＡＲＱエンティティに渡す。移動局装置１は、自らが生成したＣＲＣ符号と、復号したＣＲＣ符号がマッチしなかった場合、該系列の復号に失敗したとみなし、ＡＣＫをＨＡＲＱエンティティに渡す。
【０１４８】
これにより、移動局装置１は、サブフレームのそれぞれにおいて、Ｅ−ＰＨＩＣＨを正しく復号できたかどうかを判断することができる。また、これにより、移動局装置１が基地局装置３によって送信されたＥ−ＰＨＩＣＨの復号に失敗した場合、または、基地局装置３がＥ−ＰＨＩＣＨを送信するときがＰＭＣＨを送信するＭＢＳＦＮサブフレームであり、Ｅ−ＰＨＩＣＨを送信することができなかった場合に、移動局装置１は該系列の復号に失敗したとみなし、ＡＣＫをＨＡＲＱエンティティに渡すため、誤ったトランスポートブロックの再送をすることを避けることができる。
【０１４９】
本実施形態の装置構成について説明する。
【０１５０】
図１６は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、ＨＡＲＱエンティティ１０１３およびサブフレーム識別部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１５１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５２】
上位層処理部１０１が備える無線リソース制御部１０１１は、自装置の各種設定情報の管理を行なう。例えば、無線リソース制御部１０１１は、ＲＮＴＩおよび物理チャネルなどの設定の管理を行なう。また、無線リソース制御部１０１１は、上りリンクの各チャネルに配置される情報を生成し、送信部１０７および／またはＨＡＲＱエンティティに出力する。
【０１５３】
上位層処理部１０１が備えるＨＡＲＱエンティティ１０１３は、複数のＨＡＲＱプロセスを制御する。また、ＨＡＲＱプロセスのそれぞれは、受信部１０５を介して受信した物理チャネル（ＰＵＳＣＨやＰＤＳＣＨなど）のスケジューリングに用いられる情報に基づき、受信部１０５、および送信部１０７の制御を行なうために制御情報を生成し、制御部１０３に出力する。
【０１５４】
上位層処理部１０１が備えるサブフレーム識別部１０１５は、サブフレームの識別をする。例えば、サブフレーム識別部１０１５は、MBSFNsubframeConfigListに基づいてｎｏｎ−ＭＢＳＦＮサブフレームおよびＭＢＳＦＮサブフレームを識別する。例えば、サブフレーム識別部１０１５は、E-PHICHsubframeConfigに基づいて、Ｅ−ＰＨＩＣＨを用いたＨＡＲＱインディケータの送信のために予約されるサブフレームを識別する。例えば、サブフレーム識別部１０１５は、移動局装置固有参照信号の検出に基づいて、Ｅ−ＰＨＩＣＨ、Ｅ−ＰＤＣＣＨおよびＰＤＳＣＨの送信に用いられるＭＢＳＦＮサブフレームを識別する。例えば、サブフレーム識別部１０１５は、Ｅ−ＰＣＦＩＣＨを用いて送信される系列の検出に基づいて、Ｅ−ＰＨＩＣＨ、Ｅ−ＰＤＣＣＨおよびＰＤＳＣＨの送信に用いられるＭＢＳＦＮサブフレームを識別する。例えば、サブフレーム識別部１０１５は、ＣＲＣを用いたＥ−ＰＨＩＣＨおよび／またはＥ−ＰＤＣＣＨの検出に基づいて、Ｅ−ＰＨＩＣＨ、Ｅ−ＰＤＣＣＨおよびＰＤＳＣＨの送信に用いられるＭＢＳＦＮサブフレームを識別する。
【０１５５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１５６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１５７】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１５８】
多重分離部１０５５は、抽出した信号をＰＨＩＣＨ、ＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１５９】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１６０】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１６１】
チャネル測定部１０５９は、多重分離部１０５５から入力された下りリンク参照信号から下りリンクのパスロスを測定し、測定したパスロスを上位層処理部１０１へ出力する。また、チャネル測定部１０５９は、多重分離部１０５５から入力された下りリンク参照信号からチャネル状態情報を算出し、算出したチャネル状態情報を上位層処理部１０１へ出力する。また、チャネル測定部１０５９は、下りリンク参照信号から下りリンクの伝搬路の推定値を算出し、多重分離部１０５５へ出力する。
【０１６２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１６３】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１６４】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１６５】
上りリンク参照信号生成部１０７９は、基地局装置３を識別するための物理レイヤセル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。
【０１６６】
多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１６７】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１６８】
図１７は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、ＨＡＲＱ制御部３０１３とＭＢＭＳ制御部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１６９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７０】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、ＲＮＴＩや物理チャネルの設定の管理などを行なう。
【０１７１】
上位層処理部３０１が備えるＨＡＲＱ制御部３０１３は、ＨＡＲＱの制御を行なう。例えば、ＨＡＲＱ制御部３０１３は、復号に失敗したトランスポートブロックの信号をバッファにストアする。また、ＨＡＲＱ制御部３０１３は、復号に失敗したトランスポートブロックの再送信を指示する下りリンク制御情報および／またはＮＡＣＫを送信部３０７へ出力する。また、ＨＡＲＱ制御部３０１３は、バッファにストアしているトランスポートブロックの信号を、制御部３０３を介して復号化部３０５１に出力する。復号化部３０５１は、ＨＡＲＱ制御部３０１３から入力されたトランスポートブロックの信号と復調部３０５３から入力されたトランスポートブロックの信号とを用いて該トランスポートブロックの復号をする。
【０１７２】
ＭＢＭＳ制御部３０１５は、上位ノードからの入力信号に従って、ＭＢＳＦＮのために予約するサブフレームを決定する。また、ＭＢＭＳ制御部３０１５は、ＰＤＳＣＨのために再利用するＭＢＳＦＮサブフレームを決定する。また、ＭＢＭＳ制御部３０１５は、ＰＤＳＣＨのために予約するＭＢＳＦＮサブフレームを決定する。ＭＢＭＳ制御部３０１５は、決定したサブフレームの種別を無線リソース制御部３０１１およびＨＡＲＱ制御部３０１３に出力する。
【０１７３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１７４】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１７５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１７６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１７７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。
【０１７８】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１７９】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１８０】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８１】
下りリンク参照信号生成部３０７９は、基地局装置３を識別するための物理レイヤセル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１８２】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８３】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１８４】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８５】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８７】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１８９】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  ＨＡＲＱエンティティ
１０１５  サブフレーム識別部
３０１１  無線リソース制御部
３０１３  ＨＡＲＱ制御部
３０１５  ＭＢＭＳ制御部
【図１】
0005941305.tif 000003
【図２】
0005941305.tif 000004
【図３】
0005941305.tif 000005
【図４】
0005941305.tif 000006
【図５】
0005941305.tif 000007
【図６】
0005941305.tif 000008
【図７】
0005941305.tif 000009
【図８】
0005941305.tif 000010
【図９】
0005941305.tif 000011
【図１０】
0005941305.tif 000012
【図１１】
0005941305.tif 000013
【図１２】
0005941305.tif 000014
【図１３】
0005941305.tif 000015
【図１４】
0005941305.tif 000016
【図１５】
0005941305.tif 000017
【図１６】
0005941305.tif 000018
【図１７】
0005941305.tif 000019